(57)【要約】【課題】多くの手間と時間を要することなく複数個製造することが可能な衣服のミニチュアフィギュアであって、第三者にそのフィギュアにより再現する衣服の全体像を容易にイメージさせることができるフィギュアを提供する。【解決手段】  本発明は、着用時における衣服の立体形状の縮小版を樹脂成型により再現したフィギュア本体部と、台座部とを備えるフィギュアであって、フィギュア本体部は、衣服と同様の色彩及びデザインが施され、台座部は、台座と、当該台座とフィギュア本体部とを連結する中間部材とを備え、台座は、前記衣服に関する情報を記載した情報記載領域を有するフィギュアとした。【選択図】図１
2009011823.tif 000002
【特許請求の範囲】
【請求項１】
着用時における衣服の立体形状の縮小版を樹脂成型により再現したフィギュア本体部と、台座部とを備えるフィギュアであって、
前記フィギュア本体部は、前記衣服と同様の色彩及びデザインが施され、
前記台座部は、台座と、当該台座と前記フィギュア本体部とを連結する中間部材とを備え、
前記台座は、前記衣服に関する情報を記載した情報記載領域を有する
ことを特徴とするフィギュア。
【請求項２】
前記情報記載領域には、前記衣服の製造時期に関する情報が記載されている
ことを特徴とする請求項１に記載のフィギュア。
【請求項３】
前記台座には、前記フィギュア本体部により再現する前記衣服と同一材質の服地が貼着されている
ことを特徴とする請求項１又は請求項２に記載のフィギュア。
【請求項４】
前記中間部材の下端は、前記台座上面における中央部以外の位置に連結されている
ことを特徴とする請求項１〜３のいずれか１項に記載のフィギュア。
【請求項５】
前記フィギュア本体部は、上半身に着用する前記衣服を再現した構造体により構成し、
前記構造体には、少なくとも前面側から背面側に跨るデザインが施されている
ことを特徴とする請求項１〜４のいずれか１項に記載のフィギュア。
【請求項６】
前記フィギュア本体部は、その底面に、前記中間部材へ着脱自在に装着するための凸部を有し、
前記中間部材は、下半身に着用する衣服の立体形状を、前記フィギュア本体部と同一の縮小率で樹脂成型により再現した構造体により構成すると共に、当該構造体の上面に前記凸部を嵌合可能とする凹部を有する
ことを特徴とする請求項１〜５に記載のフィギュア。
【請求項７】
前記中間部材は、所定の道具の縮小版における一部分を樹脂成型により再現した構造体により構成し、
前記フィギュア本体部は、前記道具に関連する衣服の形状及びデザインを再現した構造体により構成する
ことを特徴とする請求項１〜５のいずれか１項に記載のフィギュア。
【発明の詳細な説明】
【技術分野】
【０００１】
本発明は、フィギュアに関するものであり、特に、実物を所定の縮小率で縮尺したミニチュアのフィギュアに関するものである。
【背景技術】
【０００２】
従来より、ファッション業界では、デザイナー等が新作の衣服をデザインした場合、その衣服を製造する業者や販売する業者等へ新作のデザイン画や新作を撮影した写真等を提示して、新作の紹介や説明を行っていた。
【０００３】
このようにデザイン画を用いて衣服の紹介や説明する場合、衣服の正面図や背面図、斜視図等、複数枚のデザイン画や写真を提示して、衣服の全体像を第三者へ説明することが一般的であった。
【０００４】
このように、デザイン画や写真等を用いて衣服の説明を行う場合、第三者は、衣服を平面的にしかイメージすることができず、その衣服の立体感をイメージすることが困難であるという問題があった。
【０００５】
このような問題を解決可能とする一手段として、実物の衣服に使用されている服地を用いて、ミニチュアの衣服を作成する方法が開示されている。
【特許文献１】特開平１１−３４５９８号公報
【発明の開示】
【発明が解決しようとする課題】
【０００６】
ところが、上記従来の技術では、実物の衣服を写真撮影し、その写真を参考にしながら、実物の衣服の寸法等をそのまま縮小し、一枚ずつ手作業で作成しなければならなかったため、衣服のミニチュアを作成するには、多くの手間と時間を要するという問題があった。
【０００７】
第三者に対して、衣服の紹介や説明をした場合には、その後、第三者にその衣服に関して検討してもらう必要もあり、説明に用いた資料をそのまま第三者に進呈することも少なくない。
【０００８】
そのために、衣服の説明に用いる資料は複数用意しておかなければならないが、上記従来の技術では、容易に複数のミニチュアを作成することが困難であった。
【課題を解決するための手段】
【０００９】
そこで、請求項１に係る本発明では、着用時における衣服の立体形状の縮小版を樹脂成型により再現したフィギュア本体部と、台座部とを備えるフィギュアであって、前記フィギュア本体部は、前記衣服と同様の色彩及びデザインが施され、前記台座部は、台座と、当該台座と前記フィギュア本体部とを連結する中間部材とを備え、前記台座は、前記衣服に関する情報を記載した情報記載領域を有することを特徴とするフィギュアとした。
【００１０】
また、請求項２に係る本発明では、請求項１に記載のフィギュアにおいて、前記情報記載領域には、前記衣服の製造時期に関する情報が記載されていることを特徴とする。
【００１１】
また、請求項３に係る本発明では、請求項１又は請求項２に記載のフィギュアにおいて、前記台座には、前記フィギュア本体部により再現する前記衣服と同一材質の服地が貼着されていることを特徴とする。
【００１２】
また、請求項４に係る本発明では、請求項１〜３のいずれか１項に記載のフィギュアにおいて、前記中間部材の下端は、前記台座上面における中央部以外の位置に連結されていることを特徴とする。
【００１３】
また、請求項５に係る本発明では、請求項１〜４のいずれか１項に記載のフィギュアにおいて、前記フィギュア本体部は、上半身に着用する前記衣服を再現した構造体により構成し、前記構造体には、少なくとも前面側から背面側に跨るデザインが施されていることを特徴とする。
【００１４】
また、請求項６に係る本発明では、請求項１〜５に記載のフィギュアにおいて、前記フィギュア本体部は、その底面に、前記中間部材へ着脱自在に装着するための凸部を有し、前記中間部材は、下半身に着用する衣服の立体形状を、前記フィギュア本体部と同一の縮小率で樹脂成型により再現した構造体により構成すると共に、当該構造体の上面に前記凸部を嵌合可能とする凹部を有することを特徴とする。
【００１５】
また、請求項７に係る本発明では、請求項１〜５のいずれか１項に記載のフィギュアにおいて、前記中間部材は、所定の道具の縮小版における一部分を樹脂成型により再現した構造体により構成し、前記フィギュア本体部は、前記道具に関連する衣服の形状及びデザインを再現した構造体により構成することを特徴とする。
【発明の効果】
【００１６】
本発明によれば、第三者に対して、衣服の立体形状及びデザインを明確に知らしめることができ、しかも、容易に複数個を作成することができる衣服のミニチュアフィギュアを提供することができる。
【発明を実施するための最良の形態】
【００１７】
以下、本発明に係るフィギュアの実施形態について、図面を参照して具体的に説明する。
【００１８】
（第一実施形態）
図１（a）は、本発明の第一実施形態に係るフィギュアＡの斜め前側を示す説明図であり、図１（ｂ）は、同フィギュアＡの斜め後ろ側を示す説明図である。
【００１９】
図１に示すように、第一実施形態に係るフィギュアＡは、着用時における衣服の立体形状の縮小版を樹脂成型により再現したフィギュア本体部Ａ１と、台座部Ａ２とを備えている。
【００２０】
第一実施形態におけるフィギュア本体部Ａ１は、上半身に着用する衣服を再現した構造体により構成しており、ここでは、Ｔシャツの立体形状を再現した構造体としている。
【００２１】
この構造体は、予め作成した金型を用いて、樹脂を成型することにより製造することができるので、容易に複数個製造することができる。そして、樹脂成型により製造した構造体に、再現する衣服と同様の色彩及び同様のデザインを施すことにより、フィギュア本体部Ａ１が完成する。
【００２２】
構造体にデザインを施す場合には、予め製造しておいた複数個の構造体を、一度に塗料に浸漬するか、若しくは、流れ作業でエアブラシ加工することにより、構造体全体の色彩を再現しようとするＴシャツと同様な色彩とし、その後、熱写プリント技術等を用いて、構造体の所定位置に、再現しようとするＴシャツと同様のデザインプリントを施すことにより実現することができる。なお、ここで開示したデザインを施す方法は、一例に過ぎず、他の任意の方法を用いることができる。
【００２３】
第一実施形態のフィギュア本体部Ａ１では、その前面側に所定のイラストＡ５がプリントされており、背面側にロゴを含むイラストＡ６がプリントされている。
【００２４】
このように、本実施形態のフィギュアＡは、実物のＴシャツの着用時における立体形状をそのまま縮小して樹脂成型により再現しているため、当該フィギュアＡを見るだけで、実物のＴシャツを着用した際の立体形状を写真などで見るよりも明確にイメージすることができる。
【００２５】
しかも、フロントプリントやバックプリント等、実物のＴシャツと同様のデザインを施すことができるので、正面視の写真や背面視の写真等、複数枚の写真を見なくとも、Ｔシャツのデザインを容易に確認することができる。
【００２６】
また、このフィギュアＡでは、フィギュア本体部Ａ１の構造体に、少なくとも前面側から背面側に跨るデザインであっても容易にプリントを施すことができるので、たとえば、正面視の写真や背面視の写真だけでは確認し難いデザイン（例えば、Ｔシャツの上腕部等にプリントされたデザインＡ７）もフィギュア本体部Ａ１にプリントすることができ、そのデザインを容易に第三者にイメージさせることができる。
【００２７】
また、このフィギュアＡを自立可能とする台座部Ａ２は、截頭錐体の台座Ａ３と、この台座Ａ３の上面とフィギュア本体部Ａ１底面とを連結する柱状の中間部材Ａ４とを備えている。
【００２８】
そして、台座Ａ３の側面には、フィギュア本体部Ａ１により再現した衣服に関する情報を記載した情報記載領域Ａ８を備えている。第一実施形態では、この情報記載領域Ａ８に、Ｔシャツにデザインされているキャラクタネームを記載している。なお、この情報記載領域Ａ８に記載する情報は、キャラクタネームに限定するものではなく、フィギュアＡにより再現する衣服のロットナンバー等、その衣服に関する情報であれば、任意の情報を記載することができる。
【００２９】
このように、台座の側面に情報記載領域Ａ８を設けておくことによって、このフィギュアＡを用いて衣服の紹介及び説明を受けた販売業者等が製品を発注する際に、他の衣服と混同することなく的確に製品の発注を行うことができる。
【００３０】
また、台座Ａ３上面の所定領域には、フィギュア本体部Ａ１により再現する実物の衣服（ここでは、Ｔシャツ）と同一色、同一材質の服地Ａ９を貼着するようにしている。
【００３１】
このように、台座Ａ３に実物の衣服の服地を貼着しておくことによって、このフィギュアＡにより再現する衣服の実際の色合いや質感までを的確に第三者にイメージさせることができる。
【００３２】
また、このフィギュアＡは、図２に示すように、フィギュア本体部Ａ１の底面に、中間部材に着脱自在に装着するための凸部Ａ１０を備えており、中間部材Ａ４の上面には、フィギュア本体部Ａ１の凸部Ａ１０を嵌合可能とする凹部Ａ１１を備えている。
【００３３】
そのため、このフィギュアＡは、フィギュア本体部Ａ１を台座部Ａ２から取り外して、他のデザインのフィギュア本体部Ａ１と交換することができる。
【００３４】
そのため、同一デザインで服地の色だけがことなるフィギュアＡを作成する際には、色だけが異なる同一デザインの複数のフィギュア本体部Ａ１を製造しておけば、台座部Ａ２に関しては、共用することができるので、フィギュアＡの製造コストを低減することができる。なお、台座部Ａ２を共用する場合には、台座Ａ３に貼着する服地をフィギュア本体部Ａ１と同様の色のものにしておく必要がある。
【００３５】
上記第一実施形態では、フィギュアＡの使用目的を、第三者への衣服の紹介及び説明のために使用する場合を例に挙げて説明したが、本発明に係るフィギュアＡの使用目的は、これに限定されるものではなく、例えば、衣服を販売する店舗等に展示するディスプレイとして使用することもできる。
【００３６】
次に、本発明に係るフィギュアを展示用のディスプレイとして用いる場合の実施形態について説明する。
【００３７】
（第二実施形態）
本発明のフィギュアを店舗に展示するディスプレイとして使用する場合、第一実施形態のフィギュアＡをそのまま使用することもできるが、好適には、フィギュア本体部Ａ１だけをそのまま利用し、台座部Ａ２については、図３に示す台座部Ｂ２を使用することが望ましい。
【００３８】
図３は、第二実施形態に係るフィギュアの台座部Ｂ２を示す説明図である。なお、図３において、第一実施形態と同一又は同様の構成部材に関しては、同一の符号を付することにより、その説明を省略する。
【００３９】
図３に示すように、第二実施形態に係る台座部Ｂ２は、第一実施形態と同様の截頭錐体の台座Ａ３を備えており、この台座Ａ３の側面には、情報記載領域Ａ８を備えている。また、台座Ａ３の上面には、服地Ｂ９が貼着されている。
【００４０】
特に、第二実施形態の台座部Ａ２が備える中間部材Ｂ４は、下半身に着用する衣服（以下、「パンツ」という。）の立体形状を、フィギュア本体部Ａ１と同一の縮小率で樹脂成型により再現した構造体により構成している。図３では、パンツの一例として、デニムパンツを模った中間部材Ｂ４を示している。
【００４１】
また、このパンツを模った構造体の上面には、フィギュア本体部Ａ１底面に設けた凸部Ａ１０を嵌合可能とする凹部Ａ１１を設けている。
【００４２】
そのため、フィギュアＡを展示する際には、パンツを模った中間部材Ｂ４の凹部Ａ１１にフィギュア本体部Ａ１の凸部Ａ１０を嵌合させた状態で展示することができ、店舗を訪れた顧客に対して、フィギュア本体部Ａ１で再現しようとする上着をよりリアルにイメージさせることができるだけでなく、上着とパンツとの相性まで確認することができる。
【００４３】
しかも、上記のように、フィギュア本体部Ａ１は、中間部材Ｂ４に着脱自在に取り付けられているため、フィギュア本体部Ａ１を取り替えれば、顧客は、複数の上着を何度も実際に試着することなく、上着とパンツとの相性を確認することができ、試着の手間を省くことができる。また、店舗側にとっても、顧客が試着をする度に、その衣服を畳む手間が省ける。
【００４４】
また、このフィギュアＡをディスプレイとして展示しておけば、ある商品が品切れになった場合であっても、顧客に品切れの商品をイメージさせることができるので、取置きして後日販売することができる。
【００４５】
さらにいえば、衣服の在庫を置かずに、このフィギュアＡだけを店頭に展示して注文による衣服の販売を行うこともできるので、店舗面積を可及的に縮小することができ、売れ残りが発生することも防止することができるので、店舗の利益効率を大幅に向上させることができる。
【００４６】
また、上記のように、台座部Ｂ２の中間部材Ｂ４をパンツの立体形状にすることで、台座部Ｂ２だけをフィギュアとして使用することもできる。
【００４７】
このように、台座部Ｂ２の中間部材Ｂ４をパンツの立体形状にする場合、たとえば、中間部材Ｂ４を現在では製造されていない所謂ヴィンテージジーンズの形状及び色彩とすれば、一部のコレクターの購買意欲を駆り立てることができるため、収集用又は鑑賞用の純粋なフィギュアとして使用することができる。
【００４８】
このように、中間部材Ｂ４によって、ヴィンテージジーンズ等の現在製造されていない衣服を再現する場合には、情報記載領域Ａ８に、その衣服の製造時期に関する情報（たとえば、１９５０年）を記載しておく。
【００４９】
この場合、そのジーンズの製造当時の服地Ｂ９が入手可能であれば、その服地Ｂ９を台座Ａ３の上面に貼着し、入手が不可能であれば、台座部Ｂ２の上に装着する上着の服地Ａ９を貼着する。
【００５０】
また、このように台座部Ｂ２の中間部材Ｂ４をパンツの形状に形成しない場合であっても、本発明のフィギュアは、収集用や観賞用のフィギュアとして使用することができる。
【００５１】
（第三実施形態）
次に、本発明の第三実施形態として、収集用又は観賞用として使用する三つのフィギュアについて説明する。図４〜６は、観賞用としてのフィギュアの例を示す説明図である。なお、第三実施形態においても、第一実施形態のフィギュアＡと同様の構成要件に関しては、同一の符号を付することにより、その説明を省略する。
【００５２】
図４（ａ）は、所謂スカジャンを模ったフィギュアＣの斜め前側を示す説明図であり、図４（ｂ）は、同フィギュアＣの斜め後面を示す説明図である。
【００５３】
スカジャンは、６０年程前に日本駐留していた外国人兵士が帰国の際、記念としてジャケットに日本風の刺繍等を施したのが始まりとされるジャンパーの一種であるが、現在では、そのデザイン性等から人気がたかい洋服の一つである。なかでも、古いもの（ヴィンテージのもの）は希少なため特に人気が高く、入手が困難となっている。
【００５４】
このような、現在では入手が困難なスカジャンのような衣服であっても、実物の作成者からの許諾を得れば、本発明によって、図４（ａ）、（ｂ）に示すように、実物のスカジャンと同様の色彩とすると共に、熱写プリント技術等を用いて、実物のスカジャンと同様の位置に同様の刺繍柄を設けたフィギュアＣを提供することができ、収集家の購買意欲を高めることができる。
【００５５】
このように、現在では製造されていない洋服を模ったフィギュアＣを提供する場合には、台座部Ｂ２の情報記載領域Ａ８に、実物の洋服が製造された年代を記載する。また、その洋服の製造当時の服地Ｃ９が入手可能であれば、その服地Ｃ９を台座Ａ３の上面に貼着する。
【００５６】
また、本発明のフィギュアを観賞用等のフィギュアとする場合、図５に示すフィギュアＤのように、台座部Ｄ２の中間部材Ｄ４のように、ギターのネック部分を模った構造体により構成し、この中間部材Ｄ４の上端に、所定のバンド名のロゴＤ５等をデザインしたＴシャツ型のフィギュア本体部Ｄ１を装着する。
【００５７】
このように、台座部Ｄ２の中間部材Ｄ４を、所定の道具（ここでは、ギター）の縮小版における一部分（ここでは、ネック部分）を樹脂成型により再現した構造体により構成し、フィギュア本体部Ｄ１は、中間部材Ｄ４により再現した道具に関連する衣服（ここでは、バンド名のロゴＤ５等がデザインされたＴシャツ）の形状及びデザインを再現した構造体により構成することによって、中間部材Ｄ４を単なる柱状のもので構成するよりも、フィギュアＤ全体の美観的統一感を増大させることができるので、収集家の購買意欲をより一層高めることができる。
【００５８】
なお、本実施形態では、中間部材Ｄ４により再現する道具をギターとし、このギターに関連するフィギュア本体部Ｄ１として、バンド名のロゴＤ５をデザインしたＴシャツを再現したが、これは、単なる一例に過ぎず、たとえば、図６に示すフィギュアＥのように、台座部Ｅ２の中間部材Ｅ４によりオートバイを再現し、この中間部材Ｅ４の上端に、オートバイと関連性のある衣服として、ライダースジャケットを再現したフィギュア本体部Ｅ１を装着してもよく、フィギュア本体部と中間部材との間に関連性があるものであれば、任意の組み合わせでフィギュアを構成してもよい。
【００５９】
また、上記本実施形態において、図１、図２、図４では、中間部材Ａ４を台座Ａ３の上面略中央位置から上方へ向けて立設しているが、好適には、図３、図５、図６に示すように、中間部材Ｂ４、Ｄ４、Ｅ４の下端は、台座Ａ３の上面における中央部以外の位置に連結するように構成する。
【００６０】
このように、中間部材Ｂ４、Ｄ４、Ｅ４と台座Ａ３の上面とを連結することにより、実物の服地を貼着する領域を可及的に広く確保することができ、再現する衣服の質感をより一層確認し易くすることができる。
【図面の簡単な説明】
【００６１】
【図１】本発明の第一実施形態に係るフィギュアを示す説明図である。
【図２】本発明の第一実施形態に係るフィギュアにおけるフィギュア本体部と中間部材との連結部を示す説明図である。
【図３】本発明の第二実施形態に係るフィギュアの台座部を示す説明図である。
【図４】本発明の第三実施形態に係るフィギュアを示す説明図である。
【図５】本発明の第三実施形態に係るフィギュアを示す説明図である。
【図６】本発明の第三実施形態に係るフィギュアを示す説明図である。
【符号の説明】
【００６２】
Ａ、Ｃ、Ｄ、Ｅ  フィギュア
Ａ１、Ｃ１、Ｄ１、Ｅ１  フィギュア本体部
Ａ２、Ｂ２、Ｄ２、Ｅ２  台座部
Ａ４、Ｂ４、Ｄ４、Ｅ４  中間部材
Ａ３  台座
【図１】
2009011823.tif 000003
【図２】
2009011823.tif 000004
【図３】
2009011823.tif 000005
【図４】
2009011823.tif 000006
【図５】
2009011823.tif 000007
【図６】
2009011823.tif 000008